(57)【要約】【課題】  図書等における使用者の要点整理の簡便化、迅速化、効率化と理解度向上を図った要点整理用の電子文具を提供する。【解決手段】  使用者が図書等から必要な文字等を読取り等して無線等で送信する機能を有する携帯可能な読取部と、情報を記録や表示する機能と必要により編集する機能や柔軟性を有する携帯可能な本体部とで構成して、又は読取部を無線等で携帯情報端末等につながるようにして、使用者の要点整理の簡便化等と理解度向上を図った要点整理用の電子文具とする。【選択図】図１
2014233061.tif 000002
【特許請求の範囲】
【請求項１】
使用者が図書、文書、メモ、ノートといった図書等から必要な文字、数字、文章、記号、図形、図画といった文字等を写取り又は読取り又は取込み無線又は有線で送信する機能を有する携帯可能な読取部と、送信された文字等の情報を記録や表示する機能と必要により編集する機能や柔軟性を有する携帯可能な本体部とで構成して、
又は読取部を携帯電話又は携帯情報端末（スマートフォン、タブレット端末）又はパソコンに無線又は有線でつながるようにして、
使用者の文字等の選定、書き写し又は写取り又は読取り又は取込み、編集、整理、清書といった要点整理の簡便化、迅速化、効率化と理解度向上を図った要点整理用の電子文具。
【請求項２】
前記の文字等を図書等から写取り又は読取り又は取込む機能を有することを特徴とする請求項１記載の要点整理用の電子文具。
【請求項３】
前記の文字等を図書等から写取り又は読取り又は取込み無線又は有線で送信する機能を有することを特徴とする請求項１記載の要点整理用の電子文具。
【請求項４】
前記の文字等の情報を本体部で記録や表示する機能を有すること、又は該情報を本体部で編集する機能を有すること、又は該情報を本体部で記録や表示する機能と編集する機能を有することを特徴とする請求項１記載の要点整理用の電子文具。
【請求項５】
前記の柔軟性を有する携帯可能な本体部としたこと、又は前記読取部と柔軟性を有する携帯可能な本体部とで構成したことを特徴とする請求項１記載の要点整理用の電子文具。
【請求項６】
前記の読取部を携帯電話又は携帯情報端末（スマートフォン、タブレット端末）又はパソコンに無線又は有線でつなぐようにしたことを特徴とする請求項１記載の要点整理用の電子文具。
【請求項７】
使用者が図書、文書、メモ、ノートといった図書等から必要な文字、数字、文章、記号、図形、図画といった文字等を写取り又は読取り又は取込み無線又は有線で送信する機能を有する携帯可能な読取部と、送信された文字等の情報を記録や表示する機能と必要により編集する機能や柔軟性を有する携帯可能な本体部とで構成して、又は読取部を携帯電話又は携帯情報端末（スマートフォン、タブレット端末）又はパソコンに無線又は有線でつながるようにして、使用者の文字等の選定、書き写し又は写取り又は読取り又は取込み、編集、整理、清書といった要点整理の簡便化、迅速化、効率化と理解度向上を図った要点整理用の電子文具の製造方法。
【発明の詳細な説明】
【技術分野】
【０００１】  本発明は、使用者が図書等から必要な文字等を写取り又は読取り又は取込み（以下「読取り等」）無線又は有線（以下「無線等」）で送信する機能を有する携帯可能な読取部と、送信された文字等の情報（以下「情報」）を記録や表示する機能と必要により編集する機能や柔軟性を有する携帯可能な本体部とで構成して、又は読取部を携帯電話又は携帯情報端末（スマートフォン、タブレット端末。以下略）等に無線等でつながるようにして、使用者の要点整理の簡便化等と理解度向上を図った要点整理用の電子文具に関する。
【背景技術】
【０００２】  学生や資格、免許の受験者は、予復習、テスト対策、レポート作成等で教科書等から必要な文字等を選定してノートに書き写す等の作業を容易にできる電子文具がないため、要点整理に多くの手間と時間を要している。【０００３】  前記と同じ理由で、教職者は授業準備等にパソコンへのキーボード入力前の要点整理やスキャナでの読取り等での要点整理に手間と時間を要し、行政組織や企業法人も新人教育、会議、打合せ、交渉、契約、法令順守等の業務活動に必要な要点整理の文書作成にノートやメモを多用し手間と時間を要している。【０００４】  前記スキャナのフラット型はＣＣＤセンサが一列配置（ラインセンサ）のため一行（１ライン）ずつしか読取り等できず一つの文字や数字等の読取り等は不可能であり、ハンディ型は円筒状でパソコンに有線でつなぐ「モバイルスキャナ」（富士通）等があるがパソコン専用で高価なため携帯電話や携帯情報端末用になっていない。【０００５】  デジタルカメラも撮像素子センサにＣＣＤセンサを用いるが、縦横配置（エリアセンサ）のため面でしか読み取れない。【０００６】  すなわち、スキャナのフラット型やデジタルカメラは一つの文字や数字等単位での読取り等ができない点及びハンディ型は有線方式のパソコン専用である点で本発明と異なる。【０００７】  また携帯型パソコン、携帯情報端末等が多機能や高機能な編集機能等を有することやそのため厚く重い形状であるのに対し、本発明は文字等の単純表示や並べ替え表示等といった簡易な要点整理用の編集機能に特化した点と下敷程度の軽薄さと下敷の半分程の大きさの形状とした点と柔軟性（電子ペーパー型は下敷程の柔軟性を持つ。）を有する点で異なる。【０００８】  前記相違点は重要で、学生等は高価で、教室等に自由に持ち込めず、持ち込めても手間と時間を要し、通学等の負担となる携帯型パソコン等を受け入れにくいからである。【０００９】  技術的には、前記のキーボードやスキャナは文字をコンピュータに入力する文字認識の処理後にテンプレートマッチング等で文字データに変換するデジタル画像処理をしてワープロ編集等を可能としている。これは文字認識が単にビットマップ画像のため、文字データ変換がないとパソコンでの編集ができないからであり、撮像素子（ＣＣＤ、ＣＩＳ）は文字データに変換するものである。【００１０】  文献１は、「着脱自在で組み立て及び交換がし易く、且つ携帯に便利でユーザが独自で保守し易く、バーコードの走査作業も行い易く、使用の利便性が向上するワイヤレスバーコード走査装置」である。【００１１】  これは、従来のバーコードとコンピュータ間の有線信号伝送を無線信号伝送とするバーコードスキャナである。これに対し本発明はイメージスキャナである点で異なる。尚スキャナはＣＴスキャナ、イメージスキャナ、バーコードスキャナの３種類が代表的である。【００１２】
【文献１】
実用新案２０１２−００３３９０
【発明の開示】
【発明が解決しようとする課題】
【００１３】  図書等における使用者の要点整理の簡便化、迅速化、効率化と理解度向上を図った要点整理用の電子文具を提供する。
【問題を解決するための手段】
【００１４】  本発明は、前記課題解決のため、携帯型パソコンや携帯情報端末等が有する多機能や高機能や非柔軟性を簡素化、簡略化、省略化又は改善し、容易に文字等の要点整理ができるように必要な機能等を持たせた携帯型で簡単操作のできる要点整理用の電子文具とする。
【００１５】  前記電子文具は、文字等の容易な要点整理のために、スキャン機能、デジタルカメラ機能と送信機能を持つ携帯可能な読取部と、情報を記録や表示する機能と簡易な編集機能を持つ携帯可能な本体部とを無線等でつなぐ構成として機能させ、又は読取部を携帯情報端末等に無線等でつないで機能させる。以下、主に無線の場合とする。
【００１６】  読取部は、主にペン型や毛筆型や動植物型の形状とし、スキャン機能やデジタルカメラ機能用の撮像素子センサ等（ＣＣＤセンサ又はＣＩＳセンサ等）で文字等を読取り等し文字データに変換して無線信号伝送装置等で本体部に送信する。
【００１７】  このときＩＣカードやＩＣタグ等の共振方式や電源（電池、太陽電池、本体部の電源）を用いる。また読取部を携帯電話、携帯情報端末、パソコン等に無線等でつなぐときは、受信装置等やケーブル、カラー対応の撮像素子等を必要により用いる。
【００１８】  本体部は、基板部、表示部、操作部、電源部を設けカバーシートで保護しケース体に収納する。タッチパネルの場合は操作部と表示部を一体とする。形状等は原則柔軟性のある電子ペーパー型が望ましく以下の型と共に基本的目安とするが、これらに限定されない。
【００１９】  前記形状等の型として、ノート型は「Ａ４版以下、ノート厚程度、簡易編集、カラー表示可能」。電子ペーパー型は「ノート型以下の形状と厚さ、簡易編集可能」。タブレット型は「ノート型より高機能」とするが、これらに限定されない。
【００２０】  また、前記情報は基板部の受信装置等で受け、液晶、有機ＥＬ、電子ペーパーといった表示方式で画面表示して簡易な編集等を行い、基板部の記録装置等で保存しメモリ等で携帯情報端末、パソコン、プリンタ等を活用する。
【００２１】  このとき、表示画面では情報の整理、並べ替え、削除、加筆、訂正等の簡易な編集作業により容易に要点整理できるようにする。尚高機能化しても良い。
【発明の効果】
【００２２】  本発明の効果は、学生、資格や免許の受験者、教職者において、本発明が図書等から必要な文字等をノート等に書き写す作業を簡便化等したことで、文字等の選定等の時間短縮や作業効率の改善が図られ要点整理が簡便、迅速、効率的にできること。
【００２３】  前記効果により、予復習、テスト対策、レポート作成、資格等の試験、授業等の準備が簡便、迅速、効率的にでき、かつ図書等への理解度向上が図られ良い成果を得る可能性が高まること。
【００２４】  行政組織や企業法人において、要点整理が簡便、迅速、効率的にできて膨大な図書等への対応や取扱いが改善され理解度が高まり、業務活動及び成果の拡大とコスト低減が可能となることである。
【発明を実施するための最良の形態】
【００２５】  本発明について、図１から図５に基づいて説明する。但し、本発明はこれらに限らない。【００２６】  図１は、本発明の実施例（１）を示す斜視図で、読取部１と本体部２を無線でつないだ構成としたものである。読取部１の先端部３にスキャン用のミラー４と撮像素子センサ５（ＣＩＳセンサ。光源６とレンズ７が一体化され本体サイズの小型化と省電力可能。）等を配置し後方に無線信号伝送装置等９と電源８を配置する。【００２７】  該先端部３を文字等に近接又は接触させて光源６から光を当て、反射光をレンズ７で捉え撮像素子センサ５で情報に変換して無線信号伝送装置等９で本体部２に送信する。【００２８】  本体部２はカバーシート２１で保護しケース体２０に収納する。基板部１０の受信装置等１１で情報を受信し画像入出力回路等１２で画像処理して表示画面１４に表示する（電子ペーパー方式とする。液晶方式はバックライト等で多消費電力、有機ＥＬ方式は高価。）。必要により操作部１５で編集等を行い情報は基板部１０の記録装置等１８に保存する。【００２９】  図２は、本発明の実施例（１）を示す本体部の断面構成図で、前部に表示部１３、後部に操作部１５、基板部１０、電源部１９を配置し、表示画面１４での情報の整理、編集等は操作部１５のキーモジュール１７で行う。尚タッチパネル１７−１では表示部１３と操作部１５を一体とする。【００３０】  基板部１０に情報の受信装置等１１と画像入出力回路等１２を設けて画像処理を行う。また記録装置等１８を設け、必要によりパソコンやプリンタ等での活用を可能とする。電源部１９では電池や太陽電池（集光版を上部や枠周囲等に配置。）を用いる。【００３１】  図３は、本発明の実施例（１）を示す読取部の断面構成図で、構成は前記のとおりである。
図４は、本発明の実施例（２）を示す読取部１の構成図で、動物型形状である。頭部２２の眼にデジタルカメラ用の撮像素子センサ５、耳にシャッタ２６、前足部２３にスキャン用の撮像素子センサ５等を設け、胴体部２４には電源８と無線信号伝送装置等９を配置し自動又は手動切替装置２５を設ける。【００３２】  図５は、本発明の実施例（３）を示す模式図で、読取部１の無線信号伝送装置等９から文字等の情報を携帯情報端末やパソコン等に無線で送信する。尚携帯情報端末等に受信装置等１１を必要により用い、有線の場合はケーブル９−１の接続可能な端子とする。
【図面の簡単な説明】
【００３３】
【図１】本発明の実施例（１）を示す斜視図。
【図２】本発明の実施例（１）を示す本体部の断面構成図。
【図３】本発明の実施例（１）を示す読取部の断面構成図。
【図４】本発明の実施例（２）を示す読取部の構成図。
【図５】本発明の実施例（３）を示す模式図。
【符号の説明】
【００３４】１          読取部
２          本体部
３          先端部
４          ミラー
５          撮像素子センサー
６          光源
７          レンズ
７−１      先端保護材
７−２      保護体
８          電源
８−１      取出口
９          無線信号伝送装置等
９−１      ケーブル
１０        基板部
１１        受信装置等
１２        画像入出力回路等
１３        表示部
１４        表示画面
１５        操作部
１６        スイッチ
１７        キーモジュール
１７−１    タッチパネル
１８        記録装置等
１９        電源部
２０        ケース体
２１        カバーシート
２２        頭部
２３        前足部
２４        胴体部
２５        自動又は手動切替装置
２６        シャッタ
【図１】
2014233061.tif 000003
【図２】
2014233061.tif 000004
【図３】
2014233061.tif 000005
【図４】
2014233061.tif 000006
【図５】
2014233061.tif 000007